(57)【特許請求の範囲】
【請求項１】
家具を支持する昇降体の後端部と基板の後端部とを蝶番構造部で連結し、昇降体と基板の間に、摺動体用バネにより前縁方向に弾力が付与される階段状摺動体を低階段側を前端に向けて摺動自在に装設した家具前倒防止装置において、昇降体の前端に、底面に接着シートを貼着し家具の前下縁を嵌着する上向きコ状の家具前下縁嵌合部を設け、基板には、階段状摺動体の前端に突出した小幅復元部の貫通する通孔を穿設した上向き前板を設けると共に、階段状摺動体のガイドと左右外れ止めを兼ねる側板を設け、階段状摺動体の一部に設けた支持部に貫通孔を穿設してバネ軸を貫通させ、貫通孔の後端側のパネ軸に摺動体用バネを装填し、このバネ軸及び貫通孔により、階段状摺動体の外れ止めと摺動体用バネの伸縮ガイドを構成した事を特徴とする家具前倒防止装置。
【請求項２】
家具を支持する昇降体の後端部と基板の後端部とを蝶番構造部で連結し、昇降体と基板の間に摺動体用バネにより前端方向に弾力が付与される階段状摺動体を、低階段側を前端に向けて摺動自在に装設した家具前倒防止装置において、昇降体の前端に、底面に接着シートを貼着し家具の前下縁を嵌着する上向きコ状の家具前下縁嵌合部を設け、基板には階段状摺動体の前端に広幅復元部を突設すると共に、階段状摺動体のガイドト左右外れ止めを兼ねる側板を設け、階段状摺動体の一部に設けた支持部に貫通孔を穿設してバネ軸を貫通させ、貫通孔の後端側のバネ軸に摺動体用バネを装填し、このバネ軸及び貫通孔により、階段状摺動体の外れ止めと摺動体用パネの伸縮カイドを構成した事を特徴とする家具前倒防止装置。
【請求項３】
請求項１の基板の奥行き方向に昇降体が当接する台部を間隔をあけて並設した事を特徴とする請求項１の家具前倒防止装置。
【請求項４】
請求項１又は請求項２の家具前下縁嵌合部の底面の接着シートの下側に、弾性板を貼付けた事を特徴とする請求項１又は請求項２の家具前倒防止装置。
【請求項５】
請求項１又は請求項２の家具前下縁嵌合部の底面下側に、嵌合部重合底を着装した事を特徴とする請求項１又は請求項２の家具前倒防止装置。
【発明の詳細な説明】
【０００１】
［発明の属する技術分野］
本発明は、壁面に配置した家具が地震により揺動して前側が上った都度、階段状摺動体がバネの弾力により自動的に家具の前下側に入りこみ、以前よりも順次、家具を傾斜させて固定する事により、地震の震動による家具の前倒れを防止する防災用の家具前倒防止装置に関する。
【０００２】
［従来の技術］
従来、地震等の震動による家具類の前倒を防止する手段としては、家具の上部を天井に連結する支持具やＬ形金具を使用して家具を壁面に固定する事が行われているが、これらの転倒防止具を使用するには貴重な家具を傷付ける事になるので、家具を傷付けない手段が要求されている。一方、家具を傷付けない手段として、家具類の前側下部に板状又は断面傾斜状の前倒防止具を敷設し、家具を背後の壁側に傾斜させる事により、ある震度以下で家具が前倒れする事を防止していた。
【０００３】
又、，家具を傷つけない手段としては、本発明者の開発による特願平７−８８５７５号及び特願平８−３１１２５号があり、これらは、家具の前側下縁又は家具の側壁下縁に装置し、震動により間隙ができた家具の前下縁又は側壁前側に、階段状摺動体をバネの弾力で自動的に移動させる事により、家具を今までよりも大きな角度で壁側に傾斜させて前倒れを防止する事が行われている。
【０００４】
［発明が解決しようとする課題］
家具を傷付けないで装置する従来の家具前倒防止具は、家具の前側下部に介在物を敷設して後側に傾斜させるものであるが、震動の大小に関わらず傾斜角度は常に一定に固定されているので、大震動を対象として傾斜角度を設定しようとしても自ら傾斜角度に限度があった。例えば、箪笥の場合、平常時は傾斜角度が大きいと引出しの引き出しは重く、扉は開け難くなって不便となり、傾斜角度が小さいと小震動でも引出しや扉が飛び出したり前倒れになるという問題があった。
【０００５】
本発明は家具を傷付けないで家具の前側下縁の下側に装置し、震動を利用して家具の傾斜角度を大きくする家具前倒防止具であり、先願である従来の特願平７−８８５７５号を大幅に改良したものである。即ち、先願である従来の家具前倒防止具は家具も本発明と同様に前下縁に敷設するが、昇降体の前端の家具前下縁支持部は、単に家具の前下縁を載置して支持するだけであり、昇降体が家具の前下縁と連結されていないため、地震の震動に応じて摺動体用バネが作用し階段状摺動体が前進移動しても、昇降体及び基板が家具の前下縁から外れる事が多く、上向きバネにより昇降体を上げる力が常に作用する為外れを増長する結果ともなり、所期の効果を確実に表す事は不可能であった。
【０００６】
又、従来の家具前倒防止具は、家具の当初の傾斜角度を設定する為の昇降体及び階段状摺動体の構成、及びガイドと脱去防止の為の側縁の内側溝の構造等が、基本的に成形手段を難しくする欠点があった。更に、階段状摺動体を移動させる摺動体用バネは、ガイドが無いので正確に伸縮しない欠点が発生し、摺動体用バネは階段状摺動体の最後端と基板の後端の間に装填される為、基板の奥行方向寸法を大きくする必要が生じ、小型化、軽量化する支障になった。
【０００７】
［課題を解決するための手段］
本発明は、昇降体が家具の前下縁から外れて基板が脱落しない為に、昇降体の家具前下縁嵌合部に前縁と後縁を設けて上向きコ字状に形成し、底面に、家具前下縁を接着して連結する接着シートを貼着する。この接着シートで接着して家具の前下縁を支持する上向きコ状の家具前下嵌合部を設けた昇降体の後端部と、床や畳の上に置く基板の後端部とを蝶番構造部で連結する。基板の前端側には上向き前板を設ける事もあり、上向き前板を設けた場合は、階段状摺動体の前側に突設した小幅復元部が通る通孔を上向き前板に穿設し、上向き前板を省略した場合は、階段状摺動体の前側に基板と略同幅の広幅復元部を突設する事が可能になる。又、基板には、階段状摺動体のガイドと左右外れ止めを兼ねる側板を設ける。
【０００８】
昇降体と基板の間には、低階段側が前端方向に向く階段が家具前下縁嵌合部に当接した状態で支持される階段状摺動体を配置する。階段状摺動体は、その一部に設けた支持部に貫通孔を穿設してバネ軸を貫通させ、貫通孔の後端側のバネ軸に摺動体用バネを装填し、この摺動体用バネにより階段状摺動体は前端側方向に常時、弾力が付与される。このバネ軸及び貫通孔は、階段状摺動体の外れ止めと摺動体用バネの伸縮ガイドに構成される。
【０００９】
又、家具の前下縁を床面より高くして家具を当初から背後の壁側に傾斜させておく為に、昇降体の家具前下縁嵌合部の下面に逆階段状の嵌合部重合底部を装設する事もでき、昇降体を工作せずに、基板の奥行方向に昇降体が当接する台部を間隔をあけて並設し、家具前下縁嵌合部をその上に載置させる事により、家具前下縁嵌合部を上げ、家具の前下縁を当初から台部の厚さ以上の高さに上げておく事が可能となる。更に、昇降体の家具前下縁嵌合部の底面の接着シートの下側に、弾性板を一体に重合して敷設する事や、家具の前下縁を上げて置く為、家具前下縁嵌合部の底面下側に、階段状摺動体の階段に対応する逆階段状の嵌合部重合底部を予め着装して置く事もできる。
【００１０】
［発明の実施の形態］
図１及び図２に示した１実施例により説明する。家具の前側下縁が搭載される昇降体１の前側の家具前下縁嵌合部２は、平常時は図４に示すように基板８の台部４上に載置し当接させ、家具を小角度で背後の壁面側に傾斜させて置く。震動により家具が揺動し背後側を支点として前側が上がると、家具前下縁の上昇と共に接着している家具前下縁嵌合部２が上がり、台部との間に間隙がてきる。これと同時に、前端方向に作用している摺動体用バネ１６の弾力で階段状摺動体１２が前端側の家具前下縁嵌合部２方向に移動し、前端側の小幅復元部１３は基板８の上向き前板９に穿設された通孔１０を抜け、階段状摺動体１２は家具前下縁嵌合部２と台部４の前記間隙に挿入される。
【００１１】
従って、震動に応じ順次、階段状摺動体１２と台部４との間に生じた間隙に応じて、以前当接していた面よりも高階段面が図６に例示するように家具前下縁嵌合部２の下側に挿入され、家具の前下縁を上げた状態で固定し、壁側への傾斜を大きくする。即ち、前回の震動よりも大きな震動があった時に作用し、震動により傾斜角度が増し、家具の傾斜角度を順次大きくして、より大きな震動に対しても前倒を防止する。この際、昇降体１は接着シート６により家具前下縁嵌合部２と一体的に昇降し、基板８の側面部の側板１１は階段状摺動体１２のガイドと左右外れ止めとを兼ね、階段状摺動体１２の一部に穿設した貫通孔１４と、この貫通孔１４を貫通するバネ軸１５は、階段状摺動体１２の外れ止めと摺動体用バネ１６の伸縮ガイドとなる。
【００１２】
階段状摺動体１２が順次、前端側に移動すると、図７及び図８に例示する通り、基板８の前端側に上向き前板９を設けた場合は、階段状摺動体１２の前側に突設した小幅復元部１３が上向き前板９に穿設した通孔１０を貫通して露出するので、震動の終了後、家具の前側を上げてこの小幅復元部１３を押し込む事により、階段状摺動体１２を平常時の状態に復元する事ができる。又、図９に例示する通り基板８の上向き前板９を省略した場合は、基板８の外に突出した広幅復元部１８を押し込む事により平常時の状態に復元する事ができる。
【００１３】
［実施例１］
図１に示す斜視図、図２に示す平面図、図３に示す側面図及び図４と図５に示す断面図により一実施例について説明する。前縁２ａと後縁２ｂを有して家具の前下縁を嵌着する家具前下縁嵌合部２を前端に形成した昇降体１の後端部と、前端側に小幅複合部１３が通る通孔１４を穿設した上向き前板９を設け、後端側にバネ受けを設け、左右両側に側板１１を設けた基板８の後端部とを蝶番構造部３で連結する。基板８の上面には奥行方向に間隔をあけて台部４を並設し、中央に間隙部５を構成する。台部２は基板８と一体的成形しても、別個に作って基板８に固定してもよい。家具前下縁嵌合部２の底面はこの台部４の上面に当接させるので、台部４の高さは当初設定の家具の傾斜を決定し、家具前下縁嵌合部２は少なくとも台部４の高さより高くする。家具前下縁嵌合部２の内底面には、家具の前下縁面に接着させる為の接着シート６を貼着する。又、接着シート６の下側に弾性板７を一体的に敷設して家具への衝撃を軽減すると共に、接着シート６を接着し易くしてもよい。蝶番構造部３は芯軸を有する蝶番に限らず、樹脂成形の場合は薄肉に形成しても、或は強靭な樹脂シートの貼着により構成してもよい。
【００１４】
昇降体１と基板８の間には、図２及び図４に示す通り階段状摺動体１２を設け、低階段側に小幅復元部１３を突設する。基板８上の間隙部５に位置する階段状摺動体１２の底面の一部に支持部１２’を設け、この支持部１２’に穿設した貫通孔１４にバネ軸１５を貫通させる。この階段状摺動体１２は、低階段を前端に向け前後摺動自在に装設する。この階段状摺動体１２は階段状に構成されるが、その段数は高さに関係するので、段数及び１段の高さは震動を予測して設定する。又、階段状摺動体１２の前端側に突設した小幅復元部１３の先端は基板８の上向き前板９の通孔１０を貫通させる。バネ軸１５には、支持部２’の後端側に摺動体用バネ１６を着装し、この摺動体用パネ１６により、階段状摺動体１２は前端方向に弾力が付与される。この際、前端側が基板８の上向き前板９に、後端側が基板８の後端のバネ受けに固定され、かつ、支持部１２’の貫通孔１４を貫通するバネ軸１５は、基板８の上向き前板９の通孔を貫通する小幅復元部１３と共に、階段状摺動体１２の外れを防止し、、摺動体用バネ１６の伸縮ガイドとなる。本実施例において、階段状摺動体２の最後端と基板８の後端との間に摺動体用バネ１６を嵌装せずに、階段状摺動体１２の一部に支持部１２’を設けてバネ軸１５を貫通させ、摺動体用バネ１６を支持部１２’と基板８の後端との間に嵌装装する事は、長いバネを使用して伸縮を大きくし、装置全体の奥行を小さくするのに有効である。
【００１５】
［実施例２］
図７は、基板８上の台部を省略した実施例を示し、家具前下縁嵌合部２の底部は、小幅復元部１３に相当する部分だけ除いた切除部１７を形成し、又、階段状摺動体１２の中央後部側を切除して支持部１２’を構成し、この支持部１２’に貫通孔１４を穿設した実施例である。この実施例においては、家具前下縁嵌合部２の底面が直接、基板８の上面に当接するので、基板８と家具前下縁嵌合部２の底面の厚さ分だけが家具の前下縁を上げるので、当初設置する家具の傾斜を小さくし、殆ど傾斜していない状態に設定する事が可能である。
【００１６】
［実施例３］
図８に示す実施例は、家具前下縁嵌合部２の底面下側に、バネ軸１５を避ける為に中央部を欠除した逆階段状の嵌合部重合底部２’を装着した実施例であり、この嵌合部重合底部２’の下面が基板８に当接し、階段状摺動体１２の前進移動により順次高階段面に当接して家具の前下縁を上げる事になる。従って、家具の当初の傾斜は嵌合部重合底部２’の厚さにより設定される。
【００１７】
［実施例４］
図９は、基板８の前端の上向き前板９を省略すると共に、前端に階段状摺動体１２に対するストッパー２０を突設し、家具前下縁嵌合部２の底部下面を階段状摺動体１２の前端の広幅復元部１８の上面、又は最低階段面に直接当接させた実施例であり、又、階段状摺動体１２の上面側には、脱去防止の為、後端側が基板８の後端部に連結し階段状摺動体１２を被覆するように固定される上板１９を設けた実施例である。この実施例においては、昇降体１と基板８との連結部分は可撓性のある極薄の板材を使用し、全体を軽量、小型化できる利点がある。
【００１８】
［発明の効果］
本発明は、家具や壁、柱等を傷付けないで、家具の前側下縁に簡単に挿込むだけで装置する事ができ、平常時には、箪笥ならば引出しの出し入れに支障のない小角度に家具を傾斜させて置き、その傾斜状態において、家具の前側が上がる程の震動が到来して家具が揺動し前下縁が上がると、階段状摺動体が摺動体用バネの弾力により自動的に前進移動して家具前下縁嵌合部の下側の間隙に挿入される。従って、それ以前よりも高階段面が家具前下縁嵌合部の底面に当接して家具の傾斜角度を自動的に大きくする。以後においては、以前よりも大きな震動が到来し家具の前側が上がった都度、順次、移動して高階段が家具前下縁嵌合部の下側に挿入されるので、傾斜角度を順次大きくして家具を背後の壁側に傾け前倒を防止する事ができる。又、震動の終了後は復元部を押し込むだけの操作で、簡単に平常時の状態に復元する事ができるので、防災上極めて有効である。
【図面の簡単な説明】
【図１】本発明の一実施例であり、予め台の高さだけ家具の前下縁を上げた状態に設置する場合の実施例を示し、構成を明示する為に昇降体を切離した状態の斜視図である。
【図２】図１に示す実施例の１部切開平面図である。
【図３】図１に示す実施例における側面図である。
【図４】図２のＡ−Ａ’部縦断面図である。
【図５】図２のＢ−Ｂ’部縦断面図である。
【図６】図１の実施例において、昇降体が上り、階段状摺動体が前進した状態を示す縦断面図である。
【図７】本発明の他の実施例であり、家具の前下縁を上げない状態に設置する場合の実施例を示し、構成を明示する為に昇降体を切離した状態の斜視図である。
【図８】本発明の他の実施例であり、家具前下縁嵌合部の底部を厚くし、予め家具の前下縁を上げた状態に設置する場合の実施例を示し、構成を明示する為に昇降体を切離した状態の斜視図である。
【図９】本発明の他の実施例であり、基板は上向き前板を省略して上板を設け、階段状摺動体に広幅復元部を突設した場合の実施例を示し、構成を明示する為に昇降体を切離した状態の斜視図である。
【符号の説明】
１    昇降体
２    家具前下縁嵌合部
２’  嵌合部重合底部
２ａ  前縁
２ｂ  後縁
３    蝶番構造部
４    台部
５    間隙部
６    接着シート
７    弾性板
８    基板
９    上向き前板
１０  通孔
１１  側板
１２  階段状摺動体
１２’支持部
１３  小幅復元部
１４  貫通孔
１５  バネ軸
１６  摺動体用バネ
１７  切除部
１８  広幅復元部
１９  上板
２０  ストッパー
【図１】
0003997752.tif 000002
【図２】
0003997752.tif 000003
【図３】
0003997752.tif 000004
【図４】
0003997752.tif 000005
【図５】
0003997752.tif 000006
【図６】
0003997752.tif 000007
【図７】
0003997752.tif 000008
【図８】
0003997752.tif 000009
【図９】
0003997752.tif 000010